(57)【要約】【課題】エッジライト式表示装置において、文字、絵柄等からなる表示部の貼り損じが生じにくく、仮に貼り損じが生じたとしても貼り直しが容易にでき、剥がした後がべたつくことなく使い回しが可能であり、コストの削減も大幅に図れる等を可能とするエッジライト式表示装置を提供することにある。【解決手段】吸盤付きシートにより構成された文字、絵柄等からなる表示部４を導光板３の裏面３２に吸着させ、ＬＥＤ等からなる光源５からの光を導光板３の端面３３に対し照射し、その光が導光板３内部に導かれ表示部４に当った光が表示部４を面発光させる。【選択図】図１
2008096589.tif 000002
【特許請求の範囲】
【請求項１】
導光板と、この導光板の端面を照射する光源とを備えており、この光源からの光が上記端面から上記導光板の内部へ入射すると、上記導光板の裏面に設けられた表示部が面発光するエッジライト式表示装置であって、
上記表示部は、ミクロ吸盤付きシートが上記導光板に吸着されてなる
ことを特徴とするエッジライト式表示装置。
【請求項２】
上記光源は、複数の発光ダイオードが縦列してなる
ことを特徴とする請求項１に記載のエッジライト式表示装置。
【発明の詳細な説明】
【技術分野】
【０００１】
本発明は、導光板に設けられた表示部を面発光させるエッジライト式表示装置に関する。
【背景技術】
【０００２】
従来より、液晶のバックライトやパネル照明などに使用されるエッジライト方式を利用し、導光板に表示された文字、絵柄等からなる表示部に対して光を照射することで、装飾効果を高めたり、夜間においても表示部を見易くする表示装置がある。
【０００３】
例えば、このような表示装置として、本発明者が以前発明したスクリーン印刷表示装置がある（特許文献１参照）。以下、カッコ内の符号は特許文献１に記載された符号である。このスクリーン印刷表示装置は、拡散反射特性を含有するインキを使用して、スクリーン印刷によりアクリル（４）からなる導光板に文字や絵柄等からなる印刷部（６）が印刷されており、ＬＥＤ（３）から導光板の一端面に対して照射された光が導光板内を伝播して印刷部（６）に導かれ、その光が拡散反射することにより印刷部（６）自体が発光するように構成されている。
【０００４】
このスクリーン印刷表示装置によれば、薄型で設置スペースも僅かですみ、印刷部（６）自体が光るので看者にインパクトを与えるなどの従来の表示装置では得られない効果を奏することができる。しかしながら、印刷部（６）がスクリーン印刷等により導光板に直接印刷されているため、版下の作成にコストがかかったり、その上、導光板に印刷部（６）が直接印刷されているため文字や絵柄等を変えて導光板を使い回すことができないなど、新たな改善点があった。
【０００５】
そこで、本発明者は、コストの削減及び使い回しなどの上記改善点を踏まえ、新たな改良を試みた。その１つとして、ディスプレイ用に適した粘着剤を塗布し剥離紙を有するポリ塩化ビニールシート、すなわち、いわゆるカッティングシートにより文字、絵柄等を作成し、導光板に貼付して表示部を形成する方法を考え実行してみた。しかしながら、この方法によると、貼付の際に空気やしわが入る貼り損じが生じる、貼り間違いをしたときに貼り直しが面倒、剥がした後がべたつく等新たな問題点が生じてしまった。
【０００６】
【特許文献１】特開２００４−２２６４３７号公報
【発明の開示】
【発明が解決しようとする課題】
【０００７】
本発明は、上記問題点に鑑みてなされたものであり、その目的は、従来のスクリーン印刷表示装置で得ていた、薄型で設置スペースも僅かで済む及び看者にインパクトを与える等が可能であることに加え、更に、貼り損じが生じにくく、仮に貼り損じが生じたとしても貼り直しが容易にでき、剥がした後がべたつくことなく使い回しが可能であり、コストの削減も大幅に図れる等を可能とするエッジライト式表示装置を提供することにある。
【課題を解決するための手段】
【０００８】
上記目的を達成するために、本発明は、導光板と、この導光板の端面を照射する光源とを備えており、この光源からの光が上記端面から上記導光板の内部へ入射すると、上記導光板の裏面に設けられた表示部が面発光するエッジライト式表示装置であって、上記表示部は、ミクロ吸盤付きシートが上記導光板に吸着されてなることを特徴とする。
【０００９】
また、上記光源は、複数の発光ダイオードが縦列してなるように構成してもよい。
【発明の効果】
【００１０】
以上説明したように本発明によれば、エッジライト式表示装置において、導光板に設けられた表示部を、ミクロ吸盤付きシートが導光板に吸着されることにより形成した。これにより、貼り損じが生じにくく、仮に貼り損じが生じたとしても貼り直しが容易にでき、剥がした後がべたつくことなく使い回しが可能であり、コストの削減も大幅に図れる等の効果を奏することができる。
【発明を実施するための最良の形態】
【００１１】
以下、本発明の実施形態について、添付した図面を参照しながら説明する。図１は本発明のエッジライト式表示装置の構成を示す斜視図、図２は図１に示す導光板と照射器とを組み立てた状態を示す斜視図、図３は図１に示す照射器を上から見た平面図、図４は図２に示すエッジライト式表示装置の縦断面図、図５は表示部の拡大断面図、図６は表示部の面発光の原理を示す説明図である。なお、図１はエッジライト式表示装置を裏面側から見た場合の斜視図であり、図２はエッジライト式表示装置を表面側から見た斜視図である。
【００１２】
図１に示すように、エッジライト式表示装置１は、照射器２と導光板３とからなる。
【００１３】
照射器２は、ケース２１と、ケース２１内に収容された光源５と、光源５の発光を制御する回路部６とからなり、ケース２１上部には開口部２２が形成されており、開口部２２と光源５との間には段部２３が内壁に沿って形成されている。
【００１４】
光源５は導光板３の端面３３に対し光を照射するものであり、ここでは、光源５として発光ダイオード（ＬＥＤ）が使用されており、導光板３が照射器２に装着された際にその端面３３に沿う方向に複数縦列に配列されている（図３参照）。光源５としては、発光ダイオードに限らず白熱ランプ、豆電球、フラッシュランプ等の種々の光源を使用することができるが、薄型化を図る、あるいは装飾効果を高めるためにはＬＥＤが好適である。
【００１５】
例えば、光源５を赤、緑、青など種々の色からなるＬＥＤを用いて構成し、回路部６により各ＬＥＤの発光のタイミングを制御するように構成すれば、グラデーション表示や時間的に色を変えて種々の色で表示するなどの表示ができ、より装飾効果の高い表示が可能となる。また、光源５としてＬＥＤを使用すればインバータなどを使用する必要がないので、装置の小型化が図れ、省電力化も図れる。なお、図１においては、ＬＥＤの個数は１８個としているが、これに限定されるものではなく使用する導光板３の大きさや表示部４の大きさなどにより使用者がその個数を適宜調整すればよい。
【００１６】
導光板３は、アクリル板、ガラス板など透光性を有する板材であれば種々の材質の板材が適用可能であるが、本実施形態では、取り扱い易さの面から透明のアクリル材を使用している。なお、本実施形態においては、導光板３の形状は図１に示すように四角形としているが、これに限定されず円形、楕円形など種々の形状が適用可能である。
【００１７】
また、導光板３の裏面３２には図１に示すように表示部４が設けられている。表示部４は、吸盤付きシートからなる文字、絵柄等であり、導光板３の裏面３２に吸着されている。表示部４は、図５に示すように、支持体４１と複数のミクロ吸盤部４２０からなるミクロ吸盤層４２とが積層されてなり、アクリル系の樹脂を発泡させて生成した無数の微細な凹状陥没穴が、吸盤効果を発揮し、被着体である導光板３への定着を可能としている。ミクロ吸盤層４２の例として、直径が５〜１００ミクロンの無数の微細気泡と柔軟な樹脂、例えばアクリル樹脂との混合体からなり、その表面には無数の微細凹状陥没穴が形成され、この無数の微細凹状陥没穴がいわゆる感圧圧着力を発揮し、被着体である導光板３への吸着を可能とするものがある。
【００１８】
例えば、このような吸盤付きシートとしては、公開特許公報（特開２００１−３５６７２４号）に記載のミクロ吸盤付き広告ポスターシートなどが適用可能である。
【００１９】
なお、本発明のエッジライト式表示装置１においては、後述するように、導光板３の端面３３から内部に入射した光が表示部４に反射することにより表示部４自体を光らせるため、表示部４は導光板３の裏面３２に吸着させる必要がある。何故なら、本発明のエッジライト式表示装置１においては、表示部４を導光板３の内部側から発光させ、看者に対しては導光板３の表面３１側から鑑賞させるように構成されているからである。また、表示部４は、導光板３に吸着された面である裏面３２側から看者に鑑賞されるわけではなく、表面３１側から鑑賞されることとなるので、例えば、左右対称でない文字、絵柄等を表示部４とする場合には、左右反対にして裏面３２に吸着させる必要がある。すなわち、図１に示すように、「Ｗｅｌｃｏｍｅ」との文字を看者に対し表示させたい場合には、導光板３の裏面３２側に吸着させる表示部４は「ｅｍｏｃｌｅＷ」とする必要がある。
【００２０】
このようにして構成された導光板３を端面３３側から照射器２の開口部２２に挿入すると（図１参照）、導光板３の端面３３の端面周縁部３３０が段部２３に当接し導光板３が照射器２に装着される（図２、４参照）。この状態（図４参照）で、回路部６を動作させ光源５であるＬＥＤを発光させると、表示部４が面発光することとなる。
【００２１】
次に、図６を参照して表示部の面発光の原理について説明する。
【００２２】
図６には、導光板３を側面から見た断面図が記載されており、裏面３２側に吸着された表示部４はミクロ吸盤部４２０のみが示されている。なお、以下においては、ミクロ吸盤部４２０とは、ミクロ吸盤層４２のうち、導光板３に接している部分のみを意味するものとして説明する。
【００２３】
図６に示すように、光源５から導光板３の端面３３に対し光を照射する。すると、その光は端面３３から導光板３内に入射し、導光板３内部において表面３１側及び裏面３２側との間で反射を繰り返す。そして、この導光板３内部に入射した光５１のうち、ミクロ吸盤部４２０に当たった光がその進路を変え、全反射（５１Ｃ、５１Ｆ）よりも小さい角度になった光（５１Ａ、５１Ｂ、５１Ｄ、５１Ｅ）が、導光板３の表面３１側から出てくる。これにより、表示部４が面発光することとなる。
【００２４】
以上のように、本発明のエッジライト式表示装置１においては、導光板３に設けられた文字、絵柄等からなる表示部４を吸盤付きシートを吸着させることにより構成した。これにより、カッティングシートを使用するよりも貼り損じが生じにくく、また、仮に貼り損じが生じたとしても貼り直しが容易にできるとともに、剥がした後がべたつくことなく使い回しが可能であり、コストの削減も大幅に図れる。
【００２５】
なお、本実施形態においては、エッジライト式表示装置を据え置きタイプのものとして構成したが、これに限定されるものではない。例えば、導光板の上部端面から光を照射する吊り下げタイプや、側面から光を照射するタイプなど種々の形式に適用可能である。また、光源からの光を照射する端面は１つに限定するものではなく、複数の端面から照射するようにしてもよい。更に、表示部が左右対称の文字や絵柄等である場合は、このエッジライト式表示装置を裏面側を看者の鑑賞する面として用いても表示部がきちんと表示されることとなるので、この場合には、エッジライト式表示装置を昼夜兼用で用いることができる。すなわち、昼間は光源を使用せず裏面側を前面にむけて看板などとして使用し、夜間は光源を使用して表面側を前面にむけて表示部を発光させて用いることが可能となる。
【図面の簡単な説明】
【００２６】
【図１】本発明のエッジライト式表示装置の構成を示す斜視図。
【図２】図１に示す導光板と照射器とを組み立てた状態を示す斜視図。
【図３】図１に示す照射器を上から見た平面図。
【図４】図２に示すエッジライト式表示装置の縦断面図。
【図５】表示部の拡大断面図。
【図６】表示部の面発光の原理を示す説明図。
【符号の説明】
【００２７】
１    エッジライト式表示装置
２    照射器
２１  ケース
２２  開口部
２３  段部
３    導光板
３１  表面
３２  裏面
３３  端面
３３０  端面周縁部
４    表示部
４１  支持体
４２  ミクロ吸盤層
４２０  ミクロ吸盤部
５    光源
５１  光
６    回路部
【図１】
2008096589.tif 000003
【図２】
2008096589.tif 000004
【図３】
2008096589.tif 000005
【図４】
2008096589.tif 000006
【図５】
2008096589.tif 000007
【図６】
2008096589.tif 000008